(57)【要約】【課題】ビジネスフォームで広く利用される複写帳票を製造する技術をベースとして作製可能な台紙付き緩衝材を提供する。【解決手段】台紙の片側に凹凸を有する緩衝材が貼付され、台紙又は緩衝材に設けられた折り畳み予定部で二つに折り畳まれて使用される台紙付き緩衝材であって、前記折り畳み予定部によって分割された何れかの側の台紙または緩衝材の少なくとも一部に、剥離紙で被覆された粘着部が形成され、前記剥離紙には、剥離紙の周縁に沿って剥離紙の一部を剥ぎ取って粘着部の一部を露出するための切込みが形成された台紙付き緩衝材を提供する。【選択図】  図１
2008120406.tif 000002
【特許請求の範囲】
【請求項１】
台紙の片側に凹凸を有する緩衝材が貼付され、台紙又は緩衝材に設けられた折り畳み予定部で二つに折り畳まれて使用される台紙付き緩衝材であって、
前記折り畳み予定部によって分割された何れかの側の台紙または緩衝材の少なくとも一部に、剥離紙で被覆された粘着部が形成され、前記剥離紙には、剥離紙の周縁に沿って剥離紙の一部を剥ぎ取って粘着部の一部を露出するための切込みが形成されたことを特徴とする台紙付き緩衝材。
【請求項２】
請求項１に記載の台紙付き緩衝材において、
粘着部は、折り畳み予定部で二つに折り畳まれた時に、対向する側の台紙又は緩衝材からはみ出さない大きさで形成されたことを特徴とする台紙付き緩衝材。
【請求項３】
請求項１，２何れかに記載の台紙付き緩衝材において、
台紙または緩衝材、または、台紙，緩衝材の両方の表出面に印刷が施されたことを特徴とする台紙付き緩衝材。
【請求項４】
請求項１〜３何れかに記載の台紙付き緩衝材において、
台紙及び緩衝材の基材には、パルプを主原料とする材料、または、自然環境内で分解性を有する合成樹脂フィルムの何れかが使用されたことを特徴とする台紙付き緩衝材。
【発明の詳細な説明】
【技術分野】
【０００１】
本発明は、送付物を衝撃から護るための台紙付き緩衝材に関する。
【背景技術】
【０００２】
通販会社等では、商品の配達のために宅配便を利用することが多い。
その際、商品のほかに、段ボールや封筒などの収納具、納品明細書，配送伝票といったものが準備される。商品が化粧品や食べ物、文房具といった小物類の場合の収納具には、ほぼ例外なく段ボールか封筒が使用される。
通販会社等では、納品明細書を見ながら、顧客からリクエストのあった商品を所定の収納具（例えば、段ボール）に入れ、箱詰めした内容をチェックしてから納品明細書も段ボールに入れ、段ボールを封緘したら、配送伝票を所定位置に貼り込んで発送するというのが代表的な配送までの流れである。
しかしながら、商品毎に段ボールが用意されるわけではないために、多くの場合、商品と段ボールの内側に隙間が生じる。
この隙間のために輸送途中で商品が箱内で踊ってしまい、その結果、最悪の場合、届いた荷物が破損することになってしまう。この破損を防ぐために、詰め物を入れたり、緩衝材と呼ばれる資材を隙間に入れている。
したがって、正確には、前述の「代表的な配送までの流れ」に、「商品を箱に入れた後で緩衝材を入れる」という工程が加わる。
家電製品のように、箱の中に納める商品の形やサイズが一定であれば、緩衝材でなく、パルプモールド等で製品を中空に浮かしたりすることも可能であるが、通販の場合は、前述のように、同じものを１個だけ買う人や複数まとめて買う人がいるために、全パターンに合わせた箱を用意することは現実的ではない。
その結果、緩衝材は不可欠な資材となる。
【０００３】
そこで、合成樹脂を原料とする緩衝材が提供されている（例えば、特許文献１参照）。
しかしながら、特許文献１に記載されている「筒状の緩衝包装部材」は、顧客側の環境意識の高まりもあって、従来から広く利用されている「エアキャップ」等の合成樹脂を原料とする緩衝材と同様、近年使い難くなってきている。
一方、前述の詰め物として、新聞紙を丸めて入れたり、シュレッダーの塵を箱の中に入れる方法は、環境面ではともかく、商品を受け取る顧客からは、その体裁から、必ずしも好評ではない。また、パルプを主原料とする紙では「エアキャップ」のようなものは作り難い。
【０００４】
【特許文献１】特開２００４−９０９３４号公報
【発明の開示】
【発明が解決しようとする課題】
【０００５】
そこで本発明では、ビジネスフォームで広く利用される複写帳票を製造する技術をベースとして作製可能な台紙付き緩衝材を提供することを目的とするものである。
【課題を解決するための手段】
【０００６】
前記課題の目的を達成するために、本発明の台紙付き緩衝材の第一の態様は、台紙の片側に凹凸を有する緩衝材が貼付され、台紙又は緩衝材に設けられた折り畳み予定部で二つに折り畳まれて使用される台紙付き緩衝材であって、前記折り畳み予定部によって分割された何れかの側の台紙または緩衝材の少なくとも一部に、剥離紙で被覆された粘着部が形成され、前記剥離紙には、剥離紙の周縁に沿って剥離紙の一部を剥ぎ取って粘着部の一部を露出するための切込みが形成されたことを特徴とするものである。
【０００７】
また、第二の態様は、第一の態様において、粘着部は、折り畳み予定部で二つに折り畳まれた時に、対向する側の台紙又は緩衝材からはみ出さない大きさで形成されたことを特徴とするものである。
【０００８】
また、第三の態様は、第一，第二何れかの態様において、台紙または緩衝材、または、台紙，緩衝材の両方の表出面に印刷が施されたことを特徴とするものである。
【０００９】
また、第四の態様は、第一，第二，第三何れかの態様において、台紙及び緩衝材の基材には、パルプを主原料とする材料、または、自然環境内で分解性を有する合成樹脂フィルムの何れかが使用されたことを特徴とするものである。
【発明の効果】
【００１０】
１）本発明の台紙付き緩衝材の第一，第二の態様のように、台紙の片側に凹凸を有する緩衝材が貼付され、台紙又は緩衝材に設けられた折り畳み予定部で二つに折り畳まれて使用される台紙付き緩衝材であって、前記折り畳み予定部によって分割された何れかの側の台紙または緩衝材の少なくとも一部に、剥離紙で被覆された粘着部が形成され、前記剥離紙には、剥離紙の周縁に沿って剥離紙の一部を剥ぎ取って粘着部の一部を露出するための切込みが形成されたことによって、また、粘着部は、折り畳み予定部で二つに折り畳まれた時に、対向する側の台紙又は緩衝材からはみ出さない大きさで形成されたことによって、剥離紙の一部を切り込み部で剥ぎ取って粘着部を露出させ、凹凸を有する緩衝材の間に送付物を挟み、送付物を封緘して、封筒などで送付物を安全に送付することができる。
また、台紙付き緩衝材を製造の際、ビジネスフォームで利用される製造設備，技術が利用可能となり、簡便で、安価な緩衝材として供給することができる。
２）また、第三の態様のように、第一，第二何れかの態様において、台紙または緩衝材、または、台紙，緩衝材の両方の表出面に印刷が施されたことによって、広告や注意書きを印刷することができ、台紙付き緩衝材の表出するスペースを有効に利用することができる。
３）また、第四の態様のように、第一，第二，第三何れかの態様において、台紙及び緩衝材の基材には、パルプを主原料とする材料、または、自然環境内で分解性を有する合成樹脂フィルムの何れかが使用されたことによって、環境にやさしい台紙付き緩衝材とすることができる。
【発明を実施するための最良の形態】
【００１１】
以下、図面を参照して本発明の台紙付き緩衝材について詳細に説明する。
図１は、本発明の台紙付き緩衝材の一例について説明するための図，図２は、本発明の台紙付き緩衝材の、他の一例について説明するための図，図３は、図１のＡ−Ａ線断面図，図４は、図２のＢ−Ｂ線断面図，図５は、図１で説明した台紙付き緩衝材の使用方法の一例について説明するための図，図６は、図２で説明した台紙付き緩衝材の使用方法の一例について説明するための図，である。
尚、以下の説明では、凹凸を有する緩衝材の凹凸は、波板状の凹凸の例で説明する。
【００１２】
図１を参照して、本発明の台紙付き緩衝材の一例について説明する。
本発明の台紙付き緩衝材１は、台紙１２の片側に波板状の凹凸を有する緩衝材１１が貼付され、台紙１２又は緩衝材１１に設けられた折り畳み予定部１２１で二つに折り畳まれて使用される。
本発明の台紙付き緩衝材１には、折り畳み予定部１２１によって分割された緩衝材１１の一方の側（図１における右側）の、少なくとも一部に、剥離紙３で被覆された粘着部２が形成される。
また、前記剥離紙３には、剥離紙３を剥離紙の周縁に沿って剥ぎ取って粘着部２の一部を露出するための切込み３１が形成されている。
また、台紙１２または緩衝材１１、または、台紙１２，緩衝材１１の両方の表出面には印刷４が施されている。
【００１３】
図１において、折り畳み予定部１２１の右側の緩衝材は、緩衝材の基材の一部、または、全面に粘着剤を塗布し、粘着部を剥離紙で被覆し、凹凸を形成して緩衝材としてもよいし、台紙１２の折り畳み予定部１２１の右側の面に凹凸が形成されたタック紙を台紙に貼付して形成してもよい。
また、図では、台紙付き緩衝材１は長方形の例を示しているが、長方形に拘るものではない。
何れの形状であっても、切込み３１に沿って剥離紙３の一部が取り除かれ、粘着部２が露出した状態で折り畳み予定部１２１で折り畳まれ、対向する緩衝材１１に固定される。
このときに、台紙付き緩衝材１の露出した粘着部２（図示せず）が折り畳まれた際に、対向する緩衝材からはみ出ない状態で形成される。
露出した粘着部が、折り畳まれた際に対向する緩衝材からはみ出す可能性が生じる場合は、切込みを二本平行に形成して、剥離紙を帯状に除去し、はみ出しを避けるようにすることもできる。
また、印刷４は、折り畳み予定部の左右に別々に施されても、左右一緒に施されてもよい。
【００１４】
また、台紙１２及び緩衝材１１の基材には、パルプを主原料とする材料、または、自然環境内で分解性を有する合成樹脂フィルム等が使用される。
【００１５】
図２を参照して、本発明の台紙付き緩衝材の、他の一例について説明する。
図２に示す台紙付き緩衝材１０は、台紙１２０の片側に波板状の凹凸を有する緩衝材１１０が貼付され、台紙１２０又は緩衝材１１０に設けられた折り畳み予定部１２１０で二つに折り畳まれて使用される。
台紙付き緩衝材１０には、折り畳み予定部１２１０によって分割された台紙１２０の一方の側（図１における右側）の、少なくとも一部に、剥離紙３０で被覆された粘着部２０が形成されている。
また、前記剥離紙３０には、剥離紙３０を剥離紙の周縁に沿って剥ぎ取って粘着部２０の一部を露出するための切込み３１０が形成されている。
また、台紙１２０または緩衝材１１０の表出面、または、台紙１２０及び緩衝材１１０の表出面には印刷４０が施されている。
【００１６】
図２において、緩衝材１１０を台紙１２０の片側全面に渡って設け、逆側の台紙の折り畳み予定部１２１０の右側の面の一部、または、全面に粘着剤を塗布して粘着部２０を形成し、粘着部２０を剥離紙３０で被覆する。折り畳み予定部１２１０の右側の緩衝材１１０にタック紙を利用し台紙付き緩衝材１０とすることもできる。
図では、台紙付き緩衝材１０は長方形の例を示しているが、長方形に拘るものではない。
何れの形状であっても、切込み３１０に沿って剥離紙３０の一部が取り除かれ、粘着部２０が露出した状態で折り畳み予定部１２１０で折り畳まれ、対向する台紙１２０に固定される場合、露出した粘着部が対向する台紙１２０からはみ出ない状態で形成される。
台紙付き緩衝材１０が折り畳み予定部１２１０で折り畳まれた際に台紙の露出した粘着部が対向する台紙からはみ出す可能性が生じる場合は、切込みを二本平行に形成して、剥離紙を帯状に除去し、はみ出しを避けるようにすることもできる。
また、印刷４０は折り畳み予定部の左右に別々に施しても、左右一緒に施してもよい。
【００１７】
また、台紙１２０及び緩衝材１１０の基材には、パルプを主原料とする材料、または、自然環境内で分解性を有する合成樹脂フィルム等が使用される。
【００１８】
図３を参照して、図１のＡ−Ａ線断面について説明する。
本発明の台紙付き緩衝材１は、台紙１２の片側に、波板状の凹凸を有する緩衝材１１が接着部５（４箇所）によって固定された状態で形成された構造になっている。
折り畳み予定部１２１によって分割された緩衝材１１の一方の側（図１における右側）には、緩衝材１１の上部全面に、粘着部２が形成され、粘着部２の上部（表出面）は全面剥離紙３で被覆されている。
また、剥離紙３には、剥離紙３を剥離紙の周縁に沿って剥ぎ取って粘着部２の一部を露出するための切込み３１が形成されている。
【００１９】
折り畳み予定部１２１を左側緩衝材１１の右端山部の裾に形成し、左側緩衝材と右側緩衝材の間の平らな部分の長さを波板の斜面の長さにすると、左右の波板状の緩衝材がそれぞれの山谷のピッチが一致し、粘着部で強固に接着させることができる。
【００２０】
図３において、折り畳み予定部１２１によって分割された右側の、「緩衝材１１／粘着部２／剥離紙３」の積層構造は、タック紙に置き換えることができる。
【００２１】
図４を参照して、図２のＢ−Ｂ線断面について説明する。
図に示す台紙付き緩衝材１０は、台紙１２０の片側に、波板状の凹凸を有する緩衝材１１０が接着部５０（４箇所）によって固定され、折り畳み予定部１２１０によって分割された台紙１２０の、緩衝材が貼付されていない側の一方の側（図１における右側）には、台紙１２０の上部全面に、粘着部２０が形成され、粘着部２０の表出面は全面剥離紙３０で被覆されている。
また、剥離紙３０には、剥離紙３０を剥離紙の周縁に沿って剥ぎ取って粘着部２０の一部を露出するための切込み３１０が形成されている。
【００２２】
折り畳み予定部１２１０は、左右の緩衝材１１を固定する固定部５の間の何れの場所に設けられてもよいが、折り畳み予定部１２１０で左右の台紙が折り畳まれたときに、右側の台紙の粘着剤露出部が左側の台紙からはみ出さない位置に設けることが好ましい。
【００２３】
また、図において、折り畳み予定部１２１０によって分割された右側の、「台紙１２０／粘着部２０／剥離紙３０」の積層構造は、タック紙に置き換えることができる。
【００２４】
図５を参照して、図１で説明した台紙付き緩衝材の使用方法の一例について説明する。
ａ図に示すように、台紙付き緩衝材１の剥離紙に形成された切込み部３１に沿って剥離紙の一部を緩衝材から引き剥がす。
ｂ図は、台紙付き緩衝材１の剥離紙に形成された切込み部３１に沿って剥離紙の一部３００を緩衝材から引き剥がした後の状態を示した図である。剥離紙の一部３００を剥ぎ取った後には、粘着部２が表出（露出）する。
送付物６を、左側の緩衝材の中央部に置き、折り畳み予定部１２１で右側の緩衝材を内側に折り畳む。
ｃ図は、台紙付き緩衝材が折り畳まれ、緩衝材１１同士が凹凸面で合わさり、粘着部２で送付物６を固定（封緘）した状態を示す。台紙１２が外側になった状態で封筒などに入れられて送付される。
【００２５】
図６を参照して、図２で説明した台紙付き緩衝材の使用方法の一例について説明する。
ｄ図に示すように、台紙付き緩衝材１０の台紙に形成された切込み部３１０に沿って剥離紙の一部を剥がす。
ｅ図は、台紙付き緩衝材１０の剥離紙に形成された切込み部３１０に沿って剥離紙の一部３０１を剥がした後の図である。剥離紙３０の一部３０１を剥ぎ取った後には、粘着部２０が表出（露出）する。
送付物６を、左側の台紙の中央部に置き、折り畳み予定部１２１０で右側の台紙を緩衝材と一緒に内側に折り畳む。
ｆ図は、台紙付き緩衝材が折り畳まれ、台紙１２０の間に送付物６を挟み、粘着部２０で送付物を固定（封緘）した状態を示す。緩衝材１１０が外側になった状態で封筒などに入れられて送付される。
【００２６】
（材料）
本発明の台紙付き緩衝材に使用される材料の一例について説明する。
先ず、台紙付き緩衝材の台紙、および、緩衝材の基材には、パルプを主原料とする材料（以下、紙の例で説明する）が使用される。
パルプには，クラフトパルプ，サルファイトパルプ等の化学パルプ，グラウンドパルプ，リファイナーグラウンドウッドパルプ等の機械パルプ，ケミグラウンドウッドパルプ，セミケミカルパルプ等の半化学パルプ，古紙パルプ，合成パルプ等があり、これらを単独または数種類混合して使用される。
これらパルプを主原料とした塗工紙として、通常市販されている、例えば、アート紙，コート紙，軽量コート紙等があり、非塗工紙として、例えば、上質紙，中質紙，下級紙や未晒クラフト紙，晒クラ フト紙等がある。
本発明の台紙付き緩衝材の台紙、および、緩衝材用の紙として、これらの紙の中から適宜選択して使用する。
本発明の台紙付き緩衝材の台紙に使用される紙は、比較的厚い紙を使用することが好ましい。例えば、台紙に使用する紙として、フォーム印刷機で使用できる１０５ｇ／ｍ2程度の紙を使用する。その結果、送付物の重さに対して台紙付き緩衝材が折れ曲がることなく楽に封筒に差し込むことができる。
【００２７】
また、自然環境内で分解性を有する合成樹脂とは、加水分解、光分解、微生物分解等により、自然環境下で分解する樹脂のことである。
このような樹脂として、脂肪族二塩基酸と二価アルコールの縮合重合により合成される各種の脂肪族ポリエステルなどがある。例えば、コハク酸、アジピン酸とエチレングリコール、１，４ブタンジオールの縮合重合により得られるポリエチレンサクシネート、ポリエチレンアジペート、ポリテトラメチレンアジペート等の脂肪族ポリエステルなどである。また、３官能又は４官能の多価アルコール、オキシカルボン酸及び多価カルボン酸、若しくはその無水物から合成した脂肪族ポリエステルなども使用することができる。さらに、ポリ乳酸、ポリグリコール酸等の脂肪族ポリエステルなどを使用することもできる。
【００２８】
台紙と緩衝材を固定するために使用される接着剤は、澱粉系，天然ゴム系，酢酸ビニル系，ＥＶＡ系，ポリウレタン系，ポリビニルアルコール系，アクリル系その他から選択され、製造装置に合せて使用される。
また、粘着部に使用される粘着剤は、主として天然ゴム等を主成分とする市販の粘着剤を使用する。
【００２９】
台紙や緩衝材に印刷が施される場合は、印刷のためのインキとして、市販のインキを使用することができる。
オフセット印刷方式で印刷される場合、通常使用される紫外線硬化型インキや、一般タイプと呼ばれる酸化重合型インキを好適に使用することができる。
フレキソ方式で印刷される場合、水系インキや有機溶剤系インキなどに加え、紫外線硬化タイプのインキなども市販されているため、用途等に応じて選択することが可能である。
また、一度使用した用紙が古紙として再利用される場合は、大豆油インキと呼ばれる脱墨性に優れるインキが好適である。大豆油インキは、酸化重合型のインキで、従来から使用されてきた亜麻仁油インキに代わって使用され始めたもので、両者とも環境対応度に大差はないが、脱墨性の点では大豆油インキが優れている。
いずれの印刷方式においても、目的や用途、使用する設備に合致した上で、できる限り環境に配慮したインキを使用することが望ましい。
紫外線硬化型は、原則として溶剤分を含まないのでＶＯＣの面では非常に優れているが、反面、ＵＶランプ（通常は、８，０００Ｗ程度のものが使用される）という非常に大きな電力でインキを硬化させるため、省エネルギーの面では酸化重合型には及ばない。また、有機溶剤型インキであっても、乾燥時に要するエネルギーが少なくて済む点では優れているため、乾燥時に蒸発する溶剤を完璧に回収できる製造装置であれば、環境に配慮しているということができる。
【００３０】
以上、本発明の台紙付き緩衝材に使用される材料の一例について説明したが、前述の記載材料に拘るものではなく、適宜選択し、また、選択したものを組み合わせて使用することができる。
【産業上の利用可能性】
【００３１】
通信販売などの業種における送付物送付用緩衝材に利用できる。
【図面の簡単な説明】
【００３２】
【図１】本発明の台紙付き緩衝材の一例について説明するための図である。
【図２】本発明の台紙付き緩衝材の、他の一例について説明するための図である。
【図３】図１のＡ−Ａ線断面図である。
【図４】図２のＢ−Ｂ線断面図である。
【図５】図１で説明した台紙付き緩衝材の使用方法の一例について説明するための図である。
【図６】図２で説明した台紙付き緩衝材の使用方法の一例について説明するための図である。
【符号の説明】
【００３３】
１，１０  台紙付き緩衝材
２，２０  粘着部
３，３０  剥離紙
４，４０  粘着部
５，５０  接着部
６      送付物
１１，１１０    緩衝材
１２，１２０  台紙
３１，３１０  切り込み
１２１，１２１０  折り畳み予定部
３００，３０１  剥離紙の一部、剥ぎ取り部
【図１】
2008120406.tif 000003
【図２】
2008120406.tif 000004
【図３】
2008120406.tif 000005
【図４】
2008120406.tif 000006
【図５】
2008120406.tif 000007
【図６】
2008120406.tif 000008